(57)【特許請求の範囲】
【請求項１】
きのこを採取した後のホダ木に、小麦粉、フスマ、砂糖、ビール酵母等の１種以上の栄養分を含有させ、万年茸、えのき茸、椎茸、カワラ茸、ヒラタケ、ナメコ、マイタケ、シハイ茸等の種菌を接種して培養したことを特徴とする昆虫用産卵木。
【請求項２】
ホダ木の含水率が４０〜７０重量％であることを特徴とする請求項１に記載の昆虫用産卵木。
【請求項３】
昆虫の産卵を誘引するホルモン等の産卵誘引成分、及び／又は、昆虫の卵を害するダニ等の有害虫類等の繁殖を抑制させる殺菌剤が含まれていることを特徴とする請求項１又は２に記載の昆虫用産卵木。
【請求項４】
クヌギ、ブナ、ナラ、シイ、クリ等の原木にきのこを培養してホダ木を得るホダ木取得工程と、前記ホダ木を裁断して９０〜１６０℃の温度の蒸気で殺菌する殺菌工程と、前記ホダ木に小麦粉、フスマ、砂糖、ビール酵母等の１種以上の栄養分を供給する栄養分補給工程と、前記栄養分が補給された前記ホダ木に万年茸、椎茸、カワラ茸、シハイ茸等の種菌を接種して培養する培養工程とを有することを特徴とする昆虫用産卵木の製造方法。
【請求項５】
前記栄養分補給工程及び前記培養工程が、袋状又は円筒状に形成された培養容器に前記栄養分を含むオガコ層を配置して、前記オガコ層の上に殺菌された前記ホダ木を載置し、前記ホダ木の上方から前記種菌を含むオガコを振りかけて密閉し１５〜３０℃の環境温度で培養することにより行なわれることを特徴とする請求項４に記載の昆虫用産卵木の製造方法。
【請求項６】
請求項１乃至３の内いずれか１項に記載の昆虫用産卵木と、前記昆虫用産卵木が入れられた飼育ケースと、前記飼育ケースの底部に敷き詰められた活性炭、竹炭からなる炭層とを有することを特徴とする昆虫用産卵木を備えた昆虫飼育容器。
【発明の詳細な説明】
【０００１】
【発明の属する技術分野】
本発明はクワガタやカブトムシ等の昆虫を産卵させて、羽化させ幼虫を飼育するための昆虫用産卵木及びその製造方法、昆虫用飼育容器に関する。
【０００２】
【従来の技術】
従来、クワガタやカブトムシ等の鑑賞用昆虫を産卵させて羽化させ、さなぎ等の幼虫から成虫に人工的な環境で生育させる際には、自然の環境を摸した飼育容器等を用いる飼育方法が一般に採用され、例えば以下のような技術のものが知られている。
（イ）特開２００１−８５７９号公報（以下イ号公報という）には、クワガタムシの幼虫飼育用キノコ菌床であって、該菌床に含まれる菌糸がヒラタケ科、キシメジ科、およびモエギタケ科からなる群より選択される科に属するキノコの一核菌糸であり、この菌床は広葉樹のオガクズを含む培地に一核菌糸を接種し、培養を行うことにより形成され、上記の菌床を収容したクワガタムシの幼虫飼育用容器が記載されている。
（ロ）特開２００１−８５８０号公報（以下ロ号公報という）には、きのこ菌糸として、さるのこしかけ科、かわら茸、舞茸、万年茸等を広葉樹の鋸屑に米糠、ふすま、豆粕等の栄養剤を添加し瓶又は耐熱性プラスチックフィルムに充填し、殺菌処理後、接種培養し、培地全体に当該菌糸が蔓延後その培地を容器から取り出し、バラバラにほぐした後に、ガラス瓶等にくまなく押しつけながら充填し、通気用無菌フィルターの蓋をして１５℃〜２５℃の室内で培養し、菌糸の再生を計るようにしたオオクワガタ虫幼虫の飼育用培地の製造法が提案されている。
（ハ）特開２００１−８６９００号公報（以下ハ号公報という）には、クワガタ幼虫育成用の材に穴を空け、オオヒラタケ菌等の菌床を埋め込んだクワガタ幼虫等の飼育材が開示されている。
（ニ）特開平９−３１５１８７号公報（以下ニ号公報という）には、気密性シートを素材とする袋体に鋸屑を充填し前記袋体の上部に筒状キャップを装着することにより開口部を有する栽培容器を形成し、滅菌処理を施した前記栽培容器内に万年茸種菌を植菌した後、前記開口部を綿状体で閉塞した前記栽培容器を直射日光および外気を遮断した状態に保持し、前記種菌から発生した菌糸が前記栽培容器内に蔓延したとき前記綿状体を除去し、前記栽培容器を気密性シートで覆って外気を遮断した状態に保持し、前記開口部から外へ万年茸を伸長させる万年茸栽培方法が記載されている。
【０００３】
【発明が解決しようとする課題】
しかしながら、前記従来の技術では、以下のような課題を有していた。
（１）イ号公報やロ号公報に記載の幼虫飼育容器等では、クワガタなどの昆虫は軟らかい培地には産卵しがたい習性を有するので、菌床に産卵させることが困難であり産卵効率が悪いという課題があった。
（２）また、産卵したとしても周囲の環境が軟弱であるため卵を有効に保護できないためにその後の羽化不良や生育不良を生じ易いという課題があった。
（３）ハ号公報に記載の幼虫育成用の材に穴を空け、オオヒラタケ菌等の菌床を埋め込んだ飼育材では、飼育材の培養過程でアオカビなどの雑菌が繁殖して、幼虫の成育に必要な栄養分の生成効率が低く、また、コメツキ虫やカミキリ虫等の有害な幼虫が繁殖して、幼虫や卵の生育環境を良好に維持できない上に、飼育材の培養期間が１年半〜２年半という長期間を要するという課題があった。
（４）ニ号公報に記載の方法で製造されたものを昆虫の産卵飼育用に適用した場合には、鋸屑を原料としているので、昆虫が卵を産みつけるための産卵木として必要な硬さが不足して産卵を誘引することができず、有効に使用できないという課題があった。
【０００４】
本発明は上記従来の課題を解決するもので、カブトムシやクワガタ等の昆虫の産卵環境を良好に維持でき、その生育不全や羽化不良を引き起こすことがなく健全な成虫を得ることができる昆虫用産卵木を提供すると共に、昆虫の飼育効率に優れ経済性や生産性に優れた昆虫用産卵木の製造方法を提供し、昆虫を産卵させ羽化不全のない成虫に飼育できる飼育効率の著しく優れた昆虫飼育ケースを提供することを目的とする。
【０００５】
【課題を解決するための手段】
請求項１に記載の昆虫用産卵木は、きのこを採取した後のホダ木に、小麦粉、フスマ、砂糖、ビール酵母等の１種以上の栄養分を含有させ、万年茸、えのき茸、椎茸、カワラ茸、ヒラタケ、ナメコ、マイタケ、シハイ茸等の種菌を接種して培養するように構成されている。
この構成によって以下の作用が得られる。
（ａ）きのこを採取した後のホダ木は、そのセルロースやリグニン成分が適度に分解された構造を有しており、しかも小麦粉、フスマ、砂糖、ビール酵母等の栄養分の１種以上を含有しているので、接種された万年茸、椎茸、カワラ茸、シハイ茸等の種菌を効果的に成長させることができる。これによって、ほぼ１月程度の短い期間でこれらの菌糸をホダ木に行き渡らせることができ、所定の硬度を有し昆虫の産卵誘発性に優れた昆虫用産卵木を提供できる。
（ｂ）昆虫用産卵木には小麦粉、フスマ、砂糖、ビール酵母等の１種以上の栄養分を含有させているので、飼育容器の幼虫がこれを摂取でき、飼育の利便性に優れている。
（ｃ）昆虫用産卵木には適度の硬さや水分、栄養分が保持されているので、ここに産卵された卵が孵化する際の環境を適正に保つことができ、その後の生育不全や羽化不良を引き起こすことがなく健全な成虫に生育させることができる。
（ｄ）所定量の栄養分を産卵木に含有させているので、少ないスペースで幼虫から成虫に生育させることができる。例えば、１匹の成虫を得るのに従来の菌糸瓶を用いて産卵飼育させる場合には容量１５００ｃｃの菌糸瓶が２、３本必要であるのに対して、産卵木を用いた場合はその１０００ｃｃ程度のもの２本でまかなうことができ、経済性や省スペース性に優れている。
（ｅ）従来の菌糸瓶を用いた場合は、その底部に水がたまって菌糸マット部が腐敗しやすくなり、幼虫等が触れて羽化不全を起こすことがあるが、菌糸マットに比べれば硬度のあるホダ木を用いるので、水とホダ木とが容易に分離され、ホダ木の劣化を防ぐことができる。また、飼育容器内に予め複数の産卵木を配置しているので、幼虫は最初の産卵木を食べ尽くした後に、別の産卵木に移動することができる。なお、菌糸瓶を小さくできるので、幼虫の成育状態を容易に確認でき、幼虫が底部に移動した時をみはらかって他の飼育容器に移すことも容易にできる。
【０００６】
ここで、ホダ木は、クヌギ、ブナ、ナラ等の原木にきのこ菌（椎茸、カワラ茸、シハイ茸、万年茸等）を接種してきのこを成長させ、これを採取した後の木材であり、原木中のセルロースやリグニン成分などが分解され、適度の硬さと水分を有した状態のものである。このホダ木中に残存する原木のセルロース成分Ａときのこ培養により分解された後のセルロース成分Ｂとの比率（Ｂ／Ａ）は、５〜５５％、好ましく１０〜４５％の範囲とすることが好ましい。これはきのこ菌や産卵させる昆虫の種類やその生育条件にもよるが、比率（Ｂ／Ａ）が１０％より少なくなるにつれ、ホダ木が軟化して産卵率が悪くなる傾向にあり、逆に４５％を超えるにつれ、セルロースやリグニン等の分解が不十分となってホダ木としての硬さが不足したり、ホダ木への栄養分の補給が困難になったりする傾向が生じる。また、これらの傾向は５％より小さくなるか、５０％を超えるとさらに顕著になるので好ましくない。
なお、セルロース成分の分析には、アルカリ抽出−ガスクロマトグラフ法やアルカリ抽出−セファロース分画法等の方法が適用でき、これによってセルロースが分解された後の多糖類等の成分比率等の構成を調べることでセルロース成分ＡとＢとの比を測定することができる。
小麦粉、フスマ、砂糖、ビール酵母等の栄養分はこれらの成分を含む７．５〜２０ｖｏｌ％の溶液を作製して、この溶液中にホダ木を浸漬して、必要に応じて加圧、加熱して含浸させることができる。また、ホダ木を栄養分を含むオガコ中に埋設又は載置しておくことによって栄養分の取り込みができる。栄養分の濃度が７．５ｖｏｌ％よりも小さくなるにつれ雑菌が繁殖し易くなる傾向が見られ、また、２０ｖｏｌ％よりも多くなるにつれきのこによる分解が促進され水分が出すぎ腐敗を早める傾向が認められるので、いずれも好ましくない。なお、栄養分の供給に先立って、ホダ木を予め天日等で乾燥させておくと、栄養分の吸収性を高めることもできる。また、紫外線により殺菌することができるので好ましい。
【０００７】
昆虫用産卵木に産卵させる昆虫としては、カブトムシ、クワガタなどの甲虫類が該当する。例えば、クワガタムシ科に属する昆虫としては、オオクワガタ、ヒラタクワガタ、ヒメオオクワガタ、コクワガタ、スジクワガタ、ノコギリクワガタ、ミヤマクワガタ、アマミシカクワガタ、マルバネクワガタ、ネブトクワガタ、オニクワガタ、ツヤハダクワガタ、ルリクワガタ、マメクワガタ、チビクワガタ、マダラクワガタ、アマミミヤマクワガタ、アマミノコギリクワガタなどが挙げられる。
【０００８】
請求項２に記載の昆虫用産卵木は、請求項１に記載の発明において、ホダ木の含水率が４０〜７０重量％であるように構成されている。
この構成によって、請求項１の作用の他、以下の作用が得られる。
（ａ）含水率が特定範囲に調整されているので、昆虫用産卵木に適度の硬さを保持させることができ、昆虫が卵を産み付ける際の産卵性を維持させることができる。
（ｂ）生みつけられた昆虫の卵を乾燥から保護して、適度の湿度や硬さを有する環境で孵化させることができ、幼虫の羽化不良や生育不全を防止できる。
（ｃ）産卵木をセットするに当たり、改めて水分調節の必要がなく、利便性に優れている。また、２以上のホダ木の各々に１種類ずつ種菌を培養したものを入れることにより幼虫が移動して食し成長を促すことができる。
（ｄ）きのこの成長に適した含水率に設定されているので、菌糸を発達させたホダ木をもとにして効率的に昆虫用産卵木を得ることができる。
ここで、昆虫用産卵木の含水率は、そのホダ木や昆虫の種類等にもよるが、４０〜７０重量％、好ましくは４５〜６５重量％とすることが望ましい。これは含水率が４５重量％より少なくなるにつれ、雌が卵を産み付ける部分が硬くなりすぎて、雌に好まれなくなる傾向が現れ、逆に６５重量％より多くなると産卵部位が軟弱化して産卵率が低下する上に雑菌等が生じ易くなる傾向が現れ、これらの傾向は４０重量％より少なくなるか、７０重量％を超えると更に顕著になるからである。
【０００９】
請求項３に記載の昆虫用産卵木は、請求項１又は２に記載の発明において、昆虫の産卵を誘引するホルモン等の産卵誘引成分、及び／又は、昆虫の卵を害するダニ等の有害虫類等の繁殖を抑制させる殺菌剤が含まれて構成されている。
この構成により請求項１又は２に記載の作用の他、以下の作用が得られる。
（ａ）ホルモンなどの産卵誘引成分を含有させることにより、確実に昆虫の産卵が促され、効率的に昆虫を卵から成虫に生育させることができる。
（ｂ）殺菌剤を含有させることにより、昆虫用産卵木の環境が清潔に維持され、卵の孵化率や、孵化後の幼虫の羽化不良などを防止することができる。
ここで、産卵誘引成分としては、例えば各種の誘引ホルモン（フェロモン）、ローヤルゼリーなどが適用でき、これら産卵誘引成分は、これらの成分を昆虫用産卵木に塗布して、成分毎にその産卵率を実験的に求めることにより実効性を評価ができる。
殺菌剤としては、例えば、エチルアルコール、ホルムアルデヒド、陽性洗剤などや、土壌消毒剤として用いられるクロロピクリン、ヒドロキシイソオキサゾール、種子消毒剤として用いられるジチオカルバメート剤、あるいは有機リン剤、ベンゾイミダゾール剤、ジカルボキシイミド剤、ボルドー液等の中から実験的に昆虫用産卵木として支障のない殺菌性が検証されるものを選択して適用することができる。特にダニに対して有効な殺虫成分としてはフェノントリン、プロピレングリコールモノ脂肪酸エステル、ビフェナゼート等が用いられる。
【００１０】
請求項４に記載の昆虫用産卵木の製造方法は、クヌギ、ブナ、ナラ、シイ、クリ等の原木にきのこを培養してホダ木を得るホダ木取得工程と、前記ホダ木を裁断して９０〜１６０℃の温度の蒸気で殺菌する殺菌工程と、前記ホダ木に小麦粉、フスマ、砂糖、ビール酵母等の１種以上の栄養分を供給する栄養分補給工程と、前記栄養分が補給された前記ホダ木に万年茸、椎茸、カワラ茸、シハイ茸等の種菌を接種して培養する培養工程とを有して構成されている。
この構成によって、以下の作用が得られる。
（ａ）ホダ木取得工程を有するので、ホダ木が原木中のセルロースやリグニン成分が適度に分解され、所定の硬さを有すると共に、優れた栄養分吸収性を有するホダ木を得ることができ、通常無駄に棄てられる朽木状のものを昆虫用産卵木として活用できる。
（ｂ）特定温度で殺菌する殺菌工程を有するので、以降のホダ木の培養工程において、目的とする菌種の培養を効率的に行なうことができ生産性に優れる。
（ｃ）栄養分補給工程を有するので、ホダ木を培地とする種菌の菌糸を効果的に発達させ、昆虫用産卵木を幼虫の餌やとしても適用できる。
（ｄ）万年茸等の特定の種菌を接種して培養する培養工程を有するので、昆虫の好む種菌を選択して、産卵率や卵の生育環境を適正化でき、昆虫飼育の利便性や生産性に優れている。
（ｅ）特に万年茸（霊芝）はβ−グルカンをはじめ、アルギニン、リジン等の必須アミノ酸、カルシュウム、リン、マグネシュウム等のミネラル等を多量に含んでおり、これらの成分は人の免疫系を活性化するとも言われることから、昆虫に対しても有効に作用すると考えられる。また、カワラ茸を用いた場合には孵化後の幼虫の生育率や生存率が大きくなるので好ましい。
【００１１】
ここで、ホダ木取得工程は、椎茸などの食用きのこを栽培して、その原木中の栄養分が消費され、きのこの生産能力が殆どなくなったものから産卵木用となるホダ木を採取する工程である。
殺菌工程は、採取したホダ木を殺菌釜などに入れて蒸し焼き状態で直接加熱したり、高温蒸気を吹き込んだりして所定温度に維持させることで行なうことができる。
栄養分補給工程は、栄養分を含む溶液中に乾燥したホダ木を含浸させたり、
栄養分を含むオガコなどに埋設させた状態に保持させたりして、ホダ木中に栄養分を供給することで行なわれる。
培養工程は、密閉又は開放した容器内に栄養分を含ませたホダ木を入れ、所定の培養条件、例えば温度が１５〜３０℃、湿度が４０〜７０％、の条件等に２０〜６０日間保持させることで種菌を培養させる工程である。
【００１２】
請求項５に記載の昆虫用産卵木の製造方法は、請求項４に記載の発明において、前記栄養分補給工程及び前記培養工程が、袋状又は円筒状に形成された培養容器に前記栄養分を含むオガコ層を配置して、前記オガコ層の上に殺菌された前記ホダ木を載置し、前記ホダ木の上方から前記種菌を含むオガコを振りかけて密閉し１５〜３０℃の環境温度で培養するように構成されている。
この構成によって、請求項４の作用の他、以下の作用が得られる。
（ａ）栄養分補給工程と培養工程とを併行して行なうことができるので、作業スペースや時間が短縮され生産性に優れる。
（ｂ）ホダ木の上下方向から種菌を接種することができるので、ホダ木中に均一に菌糸を発達させることができ、昆虫用産卵木や幼虫の餌としてホダ木を有効に利用できる。
（ｃ）オガコ層が底部に配置されているので、これによって余剰の水分を吸収させることができ、培養環境を良好に維持させることができる。
ここで、菌やホダ木の種類によっても異なるが、種菌を培養させる環境温度が１５℃より低いと、種菌の生長が不十分となって生産性が損なわれ、３０℃を超えると種菌以外の雑菌の繁殖が優勢になるので好ましくない。湿度は４０％よりも少なくなるにつれ又は７０％よりも多くなるにつれ、菌糸が廻り難くなる傾向があるのでいずれも好ましくない。
【００１３】
請求項６に記載の昆虫飼育容器は、請求項１乃至３の内いずれか１項に記載の昆虫用産卵木と、前記昆虫用産卵木が入れられた飼育ケースと、前記飼育ケースの底部に敷き詰められた活性炭、竹炭からなる炭層とを有して構成されている。
この構成によって、以下の作用を有する。
（ａ）昆虫用産卵木が入れらる飼育ケースの底部に炭層を有するので、昆虫の飼育中に発生する余分な水分をため、しかもアンモニア等の有害成分を吸着して飼育ケースの内を良好に維持することができ、産卵効率を高めたり、幼虫の羽化不全を防いだりすることができる。
（ｂ）飼育ケース内に簀の子状の上げ板を配置しその下に炭層を配置して昆虫用産卵木や幼虫が炭層に直接接触しないようにして、飼育ケース内の環境を良好に維持させることもできる。
ここで、飼育ケースは、プラスチック製やガラス製等の外形が直方体状や円柱状等の容器であり、必要に応じて空気孔を設けた蓋部がその開口した上部に覆設されて用いられる。
尚、炭層にゼオライトや砂を１０〜５０重量％混入してもよい。ゼオライトにより汚水や臭気等を吸収するとともにゼオライトや砂層で水とオガコ層を分離でき、羽化不全を防止できる。
【００１４】
【発明の実施の形態】
以下、本発明の一実施の形態につき図面を参照しながら説明する。
図１は一実施の形態の昆虫用産卵木の使用状態の説明図である。
図１において、１０は実施の形態の昆虫用産卵木、１１はガラスや透明プラスチック等からなる昆虫用産卵木１０が配置される昆虫飼育容器の飼育ケース、１２は飼育ケース１１の底部に配置され、のこ屑や土などを調整して作製された土状の昆虫を飼育するための飼育マットである。
昆虫用産卵木１０は、椎茸等の食用茸を採取した後の栽培能力が枯渇したクヌギのホダ木に、ビール酵母で発酵させて得られた栄養分を含有供給させた後、万年茸やカワラ茸の種菌を接種して培養することで作製した。
万年茸は、別名、霊芝（漢名）とも呼ばれるサルノコシカケ科に属する茸類であり、暗紫色で堅く、磨くと漆のような光沢を有する。昆虫用産卵木として用いたところ産卵誘引効果や、餌としての効果を得ることができた。これは万年茸は、漢方薬として使われるなど特有の成分を有しているためと考える。
ビール酵母を用いたところ昆虫の産卵を促したり、その成長を促進させたりする機能に優れていることがわかった。ビール酵母は出芽または分裂により増殖する単細胞の菌類であり、これを用いて発酵させて得られた栄養分や酵母自体には多くのビタミンやアミノ酸、特有のミネラル分等に富むためと考える。
【００１５】
飼育マット１２は、昆虫や幼虫の好むクヌギやブナ等のおが屑に温度や湿度で熟成処理等を施して発酵させたものを敷き詰めて形成したものである。おが屑はおが粉、のこくずとも呼ばれ、木材を鋸、大鋸でひいたとき、刃でひきちぎられてできる木粉である。その大きさは鋸の大きさ、木の種類により異なり、０．１〜５ｍｍぐらいである。
なお、この飼育マット１２の下に活性炭や竹炭などからなる炭層が、飼育ケース１１の底部に１〜５０ｍｍ程度になるように配置して、飼育中に発生するアンモニア等の有害成分を吸着して飼育ケースの内を良好に維持させることでき、これによって産卵効率を高めることができる。
また、昆虫用飼育容器の飼育ケース１１内に多孔質状や簀の子状の仕切り板や上げ底板を配置しその下に炭層を配置して昆虫用産卵木や幼虫が炭層に直接接触しないようにして、羽化不全が起こらないようにすることもできる。
このおが屑にフスマ等を加えてエノキタケやナメコ、ヒラタケ等の菌類を接種してビン等につめた状態で、例えば２０日〜４０日間、１８℃〜２８℃の範囲に保持させて菌糸を発達させることができる。
ここで、おが屑にフスマ等の栄養源となる原料を添加し、水分を加えて混合したものを容器に詰め蒸気を発生させる殺菌釜で５〜７時間殺菌処理し、放冷後、オオヒラタケの種菌を接種する。その後、１８〜２８℃で２０〜４０日間保持した後、袋におが屑をブロック状に詰めたものを培養し、それを粉砕しガラス瓶等に詰め換える方法もある。
こうして作製された飼育マット１２のヒラタケ等の菌類は本体（栄養体）を構成する分枝した細い糸状の菌糸を有しており、この菌糸が適当な水分や温度、湿度、有機及び無機成分等の条件下で生長して菌糸体を生成し、昆虫や幼虫に栄養分を供給したり、成長環境を保持させたりする機能を有している。
【００１６】
以下、昆虫用産卵木１０の作製方法について詳細に説明する。
まず、ホダ木取得工程においては、クヌギ、ブナ、ナラ等の原木に椎茸などのきのこの種菌を接種して、きのこを培養する。こうして所定量のきのこを採取して、栄養分がほぼ枯渇し、しかも原木中のセルロースやリグニンが適度に分解された状態のホダ木を得ることができる。なお、このホダ木中に残存する原木のセルロース成分Ａときのこ培養により分解されたセルロース成分Ｂとの比率（Ｂ／Ａ）は、例えば１０〜２０％の範囲とした、これによって昆虫用産卵木として必要な硬度や栄養分保持性等を維持させることができるので好ましい。
殺菌工程においては、このホダ木を５〜２０ｃｍ程度の長さに裁断して、加熱釜等に入れ内部の温度を９０〜１６０℃の温度に維持して、ホダ木中に残存する椎茸菌や雑菌、害虫を除去する。
図２は栄養分補給工程におけるホダ木の保持状態の説明図である。
図２において、１３は昆虫用産卵木１０となるホダ木、１４はホダ木１３が配置されるビニール袋、１５はビニール袋１４の底部に配置された栄養分を含むオガコ層である。
栄養分補給工程では、図２に示すように、ビニール袋１４や円筒状に形成された培養容器に小麦粉、フスマ、砂糖、ビール酵母等の栄養分を含むオガコ層１５を配置して、オガコ層１５の上に殺菌されたホダ木１３を載置する。
なお、この栄養分補給工程に先立ってホダ木は予め乾燥しておくことが好ましい。これによってオガコ層１５の栄養分がホダ木１３に吸収されて移行し易くなり、栄養分の補給を容易に行うことができる。
また、別法としては、ホダ木１３への栄養分の供給に際しては、栄養分を含む溶液中にホダ木１３を浸漬させて吸収させるようにしてもよく、この溶液中に有害菌類等を殺菌するための殺菌成分や産卵誘引成分を含ませることもできる。
培養工程においては、ビニール袋１４や培養容器の中に配置されたホダ木１３の上方から万年茸やカワラ茸の種菌を含むオガコを振りかけて密閉し、例えば温度が２０〜３０℃、湿度が４０〜７０％の状態に約２５〜３５日間維持させ、これによって、ホダ木１３の下部及び上部側から万年茸の菌糸を発達させることができ、より均一な培養状態が形成された昆虫用産卵木１０を得られる。
【００１７】
次に昆虫用産卵木１０を用いてカブトムシやクワガタムシの昆虫を産卵させる飼育方法の手順▲１▼〜▲７▼について図１を参照しながら説明する。
▲１▼昆虫用飼育容器の飼育ケース１１内の底部に敷き詰めた飼育マット１２にミネラルウォター等をかけて、よくかき混ぜる。
▲２▼昆虫用産卵木１０をミネラルウォーター等の水で十分に加水して、陰干してから必要に応じて表皮の部分を剥ぎ取り、所定の含水率例えば６０重量％程度に調整する。
▲３▼飼育ケース１１の飼育マット１２上に、昆虫用産卵木１０を配置し、直射日光を避けて保持させる。
▲４▼クワガタ等の昆虫のオス、メスのペアを飼育ケースに入れ十分な栄養と水を与えて飼育する。なお、普段はオス、メスを別の飼育ケースで飼育し、人手を用いてメスの背中にオスを乗せる操作でペアリングを行なわせることもできる。
▲５▼約１〜１４日程たったら、オスを別の飼育ケースに移して飼育する。
▲６▼約１ヶ月後にメスを取り出す。
▲７▼約２ヶ月程たったら、必要に応じて昆虫用産卵木１０を割って卵、幼虫の有無を確認する。
▲８▼卵から孵化した初令幼虫は飼育ケース１１の昆虫用産卵木１０や飼育マット１２の中を坑道を掘るようにして食べ進んで成長する。こうして、２令、３令、終令に成長し、約半年から１年半かけてサナギを経て成虫となる。この間、幼虫の菌糸の食べ具合と残存菌糸の強弱を判断しながら水分や栄養分を補給する。
▲９▼ある程度成長した幼虫は、マットの詰まった容器や菌糸瓶に１〜数頭づつ移し替える。
【００１８】
本発明の一実施の形態の昆虫用産卵木及びその製造方法は以上のように構成されているので、以下の作用を有する。
（ａ）産卵が難しい昆虫の種においても、万年茸や椎茸等の食用茸の種菌が培養されているので、比較的簡単に産卵させることができる。例えば、椎茸のホダ木にそのまま産卵させる場合に比べて、ホダ木に栄養分を添加して万年茸の種菌を培養したものではその数倍の産卵数が期待できる。
（ｂ）きのこを採取した後のホダ木１３は、そのセルロースやリグニン成分が適度に分解された構造を有しており、しかも小麦粉、フスマ、砂糖、ビール酵母等の栄養分を含有させているので、接種された万年茸、椎茸、カワラ茸、シハイ茸等の種菌を効果的に成長させることができる。これによって、ほぼ１月程度の短い期間でこれらの菌糸をホダ木に行き渡らせることができ、所定の硬度を有し昆虫の産卵誘発性に優れた昆虫用産卵木を提供できる。
（ｃ）昆虫用産卵木１０には小麦粉、フスマ、砂糖、ビール酵母等の栄養分が含まれるので、飼育ケース１１に入れた幼虫の餌としても機能させ、その飼育に際しても適用でき、幼虫飼育の利便性に優れている。
（ｄ）昆虫用産卵木１０には適度の硬さや水分、栄養分が保持されているので、ここに産卵された卵が孵化する際の環境が適正に保たれ、その後の生育不全や羽化不良を引き起こすことがなく健全な成虫に生育させることができる。
（ｅ）含水率が特定範囲に調整されているので、昆虫用産卵木１０に適度の硬さを保持させることができ、昆虫が卵を産み付ける際の産卵性を維持させることができる。
（ｆ）生みつけられた昆虫の卵を乾燥から保護して、適度の湿度を有する環境で孵化させることができ、幼虫の羽化不良や生育不全を防止できる。
（ｇ）ホルモンなどの産卵誘引成分を含有させた場合には、確実に昆虫の産卵が促され、効率的に昆虫を卵から成虫に生育させることができる。
（ｈ）殺菌剤を含有させた場合には、昆虫用産卵木の環境が清潔に維持され、卵の孵化率や、孵化後の幼虫の羽化不良などを防止することができる。
（ｉ）ホダ木取得工程を有するので、原木中のセルロースやリグニン成分が適度に分解され、所定の硬さを有すると共に、優れた栄養分吸収性を有するホダ木１３を得ることができ、通常無駄に棄てられる朽木状のもの昆虫用産卵木１０として活用することができる。
（ｊ）特定温度で殺菌する殺菌工程を有するので、以降のホダ木の培養工程において、目的とする菌種の培養を効率的に行なうことができ生産性に優れる。
（ｋ）栄養分補給工程を有するので、ホダ木１３を培地とする種菌の菌糸を効果的に発達させると共に、昆虫用産卵木１０を幼虫の餌としても適用できる。
（ｌ）万年茸等の特定の種菌を接種して培養する培養工程を有するので、昆虫の好む種菌を選択して、産卵率や卵の生育環境を適正化でき、昆虫飼育の利便性や生産性に優れている。
（ｍ）栄養分補給工程と培養工程とを併行して行なうことができるので、作業スペースや時間が短縮され生産性に優れる。
（ｎ）ホダ木１３の上下方向から種菌を接種することができるので、ホダ木１３中に均一に菌糸を発達させることができ、昆虫用産卵木１０や幼虫等の餌としてホダ木１３を有効にすることが利用できる。
（ｏ）昆虫用産卵木が入れらる飼育ケース１１の底部に炭層を設けることもできるので、アンモニア等の有害成分を吸着して飼育ケースの内を良好に維持でき、産卵効率を高めたり、幼虫の羽化不全を防いだりすることができる。
（ｐ）飼育ケース１１内に多孔質状や簀の子状の上げ底板や仕切り板等を配置しその下に有害成分を吸着したり、過剰成分を保持できる炭層を配置して昆虫用産卵木や幼虫が炭層に直接接触しないように維持させることもできる。
【００１９】
【発明の効果】
請求項１に記載の昆虫用産卵木によれば、以下の効果が得られる。
（ａ）きのこを採取した後のホダ木は、そのセルロースやリグニン成分が適度に分解された構造を有しており、しかも小麦粉、フスマ、砂糖、ビール酵母等の栄養分を含有しているので、接種された万年茸、椎茸、カワラ茸、シハイ茸等の種菌を効果的に成長させることができる。ほぼ１月程度の短い期間でこれらの菌糸をホダ木に行き渡らせることができ、所定の硬度を有し昆虫の産卵誘発性に優れた昆虫用産卵木を提供できる。
（ｂ）昆虫用産卵木には小麦粉、フスマ、砂糖、ビール酵母等の栄養分を含有させているので、幼虫がこれを餌として食べることができ、幼虫の飼育に際しても適用でき、幼虫飼育の利便性に優れている。
（ｃ）昆虫用産卵木には適度の硬さや水分、栄養分が保持されているので、ここに産卵された卵が孵化する際の環境が適正に保たれ、その後の生育不全や羽化不良を引き起こすことがなく健全な成虫に生育させることができる。
（ｄ）所定量の栄養分を産卵木に含有させているので、少ないスペースで幼虫から成虫に生育させることができる。例えば、１匹の成虫を得るのに従来の菌糸瓶を用いて産卵飼育させる場合には容量１５００ｃｃの菌糸瓶が２、３本必要であるのに対して、産卵木を用いた場合はその１０００ｃｃ程度のもの２本でまかなうことができ、経済性に優れている。
（ｅ）従来の菌糸瓶を用いた場合は、その底部に水がたまって菌糸マット部が腐敗しやすくなり、幼虫等が触れて羽化不全を起こすことがあるが、菌糸マットに比べれば硬度のあるホダ木を用いるので、水とホダ木とが容易に分離され、ホダ木の劣化を防ぐことができる。また、幼虫が自分で底部に移動した時をみはらかって他の飼育容器に移すことも容易にできる。
【００２０】
請求項２に記載の昆虫用産卵木によれば、請求項１の効果の他、以下の効果が得られる。
（ａ）含水率が特定範囲に調整されているので、昆虫用産卵木に適度の硬さを保持させることができ、昆虫が卵を産み付ける際の産卵性を維持できる。
（ｂ）生みつけられた昆虫の卵を乾燥から保護して、適度の湿度や固さを有する環境で孵化させることができ、幼虫の羽化不良や生育不全を防止できる。
（ｃ）産卵木をセットするに当たり、改めて水分調節の必要がなく、利便性に優れている。
【００２１】
請求項３に記載の昆虫用産卵木によれば、この構成により請求項１又は２に記載の効果の他、以下の効果が得られる。
（ａ）ホルモンなどの産卵誘引成分を含有させることにより、確実に昆虫の産卵が促され、効率的に昆虫を卵から成虫に生育させることができる。
（ｂ）殺菌剤を含有させることにより、昆虫用産卵木の環境が清潔に維持され、卵の孵化率や、孵化後の幼虫の羽化不良などを防止することができる。
【００２２】
請求項４に記載の昆虫用産卵木の製造方法によれば以下の効果が得られる。
（ａ）ホダ木取得工程を有するので、原木中のセルロースやリグニン成分が適度に分解され、所定の硬さを有すると共に、優れた栄養分吸収性を有するホダ木が得られ、通常無駄に棄てられる朽木状のもの昆虫用産卵木として活用できる。
（ｂ）特定温度で殺菌する殺菌工程を有するので、以降のホダ木の培養工程において、目的とする菌種の培養を効率的に行なうことができ生産性に優れる。
（ｃ）栄養分補給工程を有するので、ホダ木を培地とする種菌の菌糸を効果的に発達させ、昆虫用産卵木を幼虫の餌としても適用できる。
（ｄ）万年茸等の特定の種菌を接種して培養する培養工程を有するので、昆虫の好む種菌を選択して、産卵率や卵の生育環境を適正化でき、昆虫飼育の利便性や生産性に優れている。
（ｅ）特に万年茸（霊芝）はβ−グルカンをはじめ、アルギニン、リジン等の必須アミノ酸、カルシュウム、リン、マグネシュウム等のミネラル等を多量に含んでおり、これらの成分を昆虫に対して有効に作用させることができる。
【００２３】
請求項５に記載の昆虫用産卵木の製造方法によれば、請求項４の効果の他、以下の効果が得られる。
（ａ）栄養分補給工程と培養工程とを併行して行なうことができるので、作業スペースや時間が短縮され生産性に優れる。
（ｂ）ホダ木の上下方向から種菌を接種することができるので、ホダ木中に均一に菌糸を発達させることができ、昆虫用産卵木や幼虫等の餌としてホダ木を有効に利用できる。
（ｃ）オガコ層が底部に配置されているので、これによって余剰の水分を吸収させることができ、培養環境を良好に維持させることができる。
【００２４】
請求項６に記載の昆虫飼育容器によれば、以下の効果を有する。
（ａ）昆虫用産卵木が入れらる飼育ケースの底部に炭層を有するので、昆虫の飼育中に発生する余分な水分をため、しかもアンモニア等の有害成分を吸着して飼育ケースの内を良好に維持することができ、産卵効率を高めたり、幼虫の羽化不全を防いだりすることができる。
（ｂ）飼育ケース内に簀の子状の上げ板を配置しその下に炭層を配置して昆虫用産卵木や幼虫が炭層に直接接触しないようにして、ケース内の環境を良好に維持させることもできる。
【図面の簡単な説明】
【図１】実施の形態１の昆虫用産卵木の使用状態の説明図
【図２】栄養分補給工程におけるホダ木の保持状態の説明図
【符号の説明】
１０  昆虫用産卵木
１１  飼育ケース
１２  飼育マット
１３  ホダ木
１４  ビニール袋
１５  オガコ層
【図１】
0003612300.tif 000002
【図２】
0003612300.tif 000003